(57)【要約】【課題】シンプルな構造でありながら、間接活線工具（ホットスティック）による単純な作業の繰り返しにより電柱の周側面上に巻回して固定することができるヤットコ挟持具付絶縁シートを提供する。【解決手段】合成樹脂製で矩形状をなす絶縁シート２と、この絶縁シート２のいずれか一方の面における一対の辺に沿って設けられる帯状の固定部３と、この固定部３のそれぞれに着脱可能に取設される２本の固定用バンド４，４と、それぞれの固定用バンド４，４に着脱可能に取設される複数個のヤットコ挟持部５とを有し、固定部３は面ファスナであり、固定用バンド４は、帯状の面ファスナが互いに背合わせに一体化されてなり、ヤットコ挟持部５は、平板体を折り曲げてなる断面Ｌ字形の挟持部材５ａと、この挟持部材５ａの屈曲内側の面に固設されるオスタイプ又はメスタイプの面ファスナ５ｂとを備えていることを特徴とするヤットコ挟持具付絶縁シート１による。【選択図】図５
2018133170.tif 000002
【特許請求の範囲】
【請求項１】
合成樹脂製で矩形状をなす絶縁シートと、この絶縁シートのいずれか一方の面の一対の辺に沿って設けられる帯状の固定部と、この固定部のそれぞれに着脱可能に取設される２本の固定用バンドと、それぞれの前記固定用バンドに着脱可能に取設される複数個のヤットコ挟持部とを有し、
前記固定部は、メスタイプ又はオスタイプの面ファスナであり、
前記固定用バンドは、帯状のメスタイプ及びオスタイプの面ファスナが互いに背合わせに一体化されてなり、
前記ヤットコ挟持部は、平板体を折り曲げてなる断面Ｌ字形の挟持部材と、この挟持部材の屈曲内側の面に固設されるオスタイプ又はメスタイプの面ファスナとを備えていることを特徴とするヤットコ挟持具付絶縁シート。
【請求項２】
前記挟持部材は、弾性変形材からなることを特徴とする請求項１に記載のヤットコ挟持具付絶縁シート。
【請求項３】
前記挟持部材は、前記固定用バンドに取り付けた際に、鉛直上方側に配される面及び／又は鉛直下方側に配される面に、弾性変形材を備えていることを特徴とする請求項１に記載のヤットコ挟持具付絶縁シート。
【請求項４】
前記固定用バンドは、その長手方向の少なくとも一部又は全部における厚み部分に、前記固定用バンドの形状保持性を高める芯材を備えていることを特徴とする請求項１乃至請求項３のいずれか１項に記載のヤットコ挟持具付絶縁シート。
【発明の詳細な説明】
【技術分野】
【０００１】
本発明は、電柱に巻回して使用する電柱用絶縁シートに関する。
【背景技術】
【０００２】
従来、電柱に巻回して使用する絶縁シートとして様々な形態のものが考えられてきた。
本発明の発明者は、過去に、特開２０１５−１５８５７号（特許文献１）に開示されるような「絶縁シートの固定具」を発明している。
【０００３】
特許文献１には「絶縁シートの固定具」という名称で、絶縁シートの固定具に関し、特に、架空配電線において、間接活線工法により各種の作業を行う場合に、電柱、腕金等の絶縁対象物を覆うように取り付ける絶縁シートを、絶縁対象物を覆った状態に固定するのに有効な絶縁防具の固定具に関する発明が開示されている。
特許文献１に開示される発明は、文献中に記載される符号をそのまま用いて説明すると、絶縁シート２５を絶縁対象物を覆った状態に固定する絶縁シートの固定具１であって、外側に膨出するように湾曲されるとともに、先端が外側に向けて湾曲される一対のアーム２、５と、前記両アーム２、５の一端間を回動可能に連結することにより、前記両アーム２、５の他端間を開閉可能とする連結部材１２と、前記両アーム２、５を前記連結部材１２を介して支持する支持部材７と、前記両アーム２、５の外面側に設けられる前記絶縁シート２５の取付部材２０と、前記両アーム２、５を閉じる方向に常時付勢する付勢部材と、前記支持部材７に設けられるとともに、間接活線工具で把持可能な把持部１１と、前記各アーム２、５の内面の複数箇所に回転可能に設けられるとともに、一部が各アーム２、５の内面から内方に所定量突出する複数の案内部材とを備えていることを特徴とするものである。
上記構成の特許文献１に開示される発明によれば、絶縁対象物を覆うように取り付ける絶縁シートを、絶縁対象物を覆った状態に容易に、短時間で固定することができる。
【先行技術文献】
【特許文献】
【０００４】
【特許文献１】特開２０１５−１５８５７号公報
【発明の概要】
【発明が解決しようとする課題】
【０００５】
上述の特許文献１に開示される発明の場合、その構造上、電柱の周側面上に絶縁シートを接触させながら巻回することができなかった。
【０００６】
本発明はかかる従来の事情に対処してなされたものでありその目的は、その構造が極めてシンプルで、かつ、間接活線工具（ホットスティック）による取扱いが容易で、しかも、電柱の周側面上に接触させながら被覆することができるヤットコ挟持具付絶縁シートを提供することにある。
【課題を解決するための手段】
【０００７】
上記課題を解決するための第１の発明であるヤットコ挟持具付絶縁シートは、合成樹脂製で矩形状をなす絶縁シートと、この絶縁シートのいずれか一方の面における一対の辺に沿って設けられる帯状の固定部と、この固定部のそれぞれに着脱可能に取設される２本の固定用バンドと、それぞれの固定用バンドに着脱可能に取設される複数個のヤットコ挟持部とを有し、固定部は、メスタイプ又はオスタイプの面ファスナであり、固定用バンドは、帯状のメスタイプ及びオスタイプの面ファスナが互いに背合わせに一体化されてなり、ヤットコ挟持部は、平板体を折り曲げてなる断面Ｌ字形の挟持部材と、この挟持部材の屈曲内側の面に固設されるオスタイプ又はメスタイプの面ファスナとを備えていることを特徴とするものである。
上記構成の第１の発明において、絶縁シートは、電柱の周側面と接触しながらこの周側面を被覆して絶縁するという作用を有する。また、固定部は、帯状の固定用バンドを着脱可能に装着させるという作用を有する。さらに、固定用バンドは、絶縁シートを電柱の周側面上に着脱可能に固定するという作用を有する。また、ヤットコ挟持部は、固定用バンドに着脱可能に取り付けられて、絶縁シートや固定用バンドの支持や移動等の操作を間接活線工具であるヤットコにより可能にするという作用を有する。
さらに、固定部及び固定用バンドを面ファスナにより構成することで、双方を面接触させる又は引き剥がすだけで双方を着脱させるという作用を有する。
このような第１の発明によれば、絶縁シートの固定部に固定用バンドを取り付け、さらに、この固定用バンドにヤットコ挟持部を取り付けることで、間接活線工具であるヤットコを用いて絶縁シート並びに固定用バンドを支持又は操作して、電柱の所望位置の周側面上に絶縁シートを巻回した状態で固定させるという作用を有する。
【０００８】
第２の発明であるヤットコ挟持具付絶縁シートは、上述の第１の発明において、挟持部材は、弾性変形材からなることを特徴とするものである。
上記構成の第２の発明は、上述の第１の発明による作用と同じ作用に加えて、挟持部材が弾性変形材により構成されることで、間接活線工具であるヤットコで挟持部材を挟持した際に、挟持部材自体が弾性変形する。これにより、挟持部材とヤットコの接触面において緩やかな嵌合構造が形成されて、ヤットコにより挟持部材を挟持した際の、滑り（挟持し損ない）が起きるのを妨げるという作用を有する。
【０００９】
第３の発明であるヤットコ挟持具付絶縁シートは、上述の第１の発明において、挟持部材は、固定用バンドに取り付けた際に、鉛直上方側に配される面及び／又は鉛直下方側に配される面に、弾性変形材を備えていることを特徴とするものである。
先の第２の発明は、挟持部材自体を弾性変形材により構成しているのに対して、第３の発明は、挟持部材に別体として弾性変形材を備えてなるものである。
したがって、第３の発明は、上述の第１の発明による作用と同じ作用に加えて、挟持部材が弾性変形材を備えていることで、間接活線工具であるヤットコで挟持部材を挟持した際に、弾性変形材の弾性変形が起こり、これにより、弾性変形材とヤットコの接触面において緩やかな嵌合構造が形成される。この結果、ヤットコにより挟持部材を挟持した際の、滑り（挟持し損ない）が起きるのを妨げるという作用を有する。
【００１０】
第４の発明であるヤットコ挟持具付絶縁シートは、上述の第１乃至第３のそれぞれの発明において、固定用バンドは、その長手方向の少なくとも一部又は全部における厚み部分に、固定用バンドの形状保持性を高める芯材を備えていることを特徴とするものである。
上記構成の第４の発明は、上述の第１乃至第３のそれぞれの発明による作用と同じ作用に加えて、固定用バンドがその長手方向の少なくとも一部又は全部における厚み部分に芯材を備えていることで、固定用バンドの長手方向の少なくとも一部又は全部に形状保持性を付与するという作用を有する。
なお、固定用バンドの長手方向の少なくとも一部に芯材を備える場合は、固定用バンドにおいて絶縁シートの固定部に接触しない領域に芯材を設けておくとよい。
これにより、固定用バンドの操作時に、固定用バンドが垂れ下がるのを抑制するという作用を有する。
【発明の効果】
【００１１】
第１の発明によれば、電柱の任意の位置の周側面上に絶縁シートを接触させながら巻回してそのままその位置に絶縁シートを固定しておくことができる。
また、この時、第１の発明がヤットコ挟持部を備えていることで、電柱の周側面上に絶縁シートを巻回して固定する作業を、間接活線工具であるヤットコを用いて行うことができる。
さらに、第１の発明によれば、絶縁シートの固定部並びに固定用ベルトがともに面ファスナを備えていることで、絶縁シートへの固定用バンドの着脱、並びに、固定用バンドによる電柱の周側面の締付けとその解除を、面ファスナ同士の接触と剥離により容易に、かつ、固定用バンド状の任意の位置において行うことができる。
加えて、第１の発明では、固定用バンドへのヤットコ挟持部の着脱作業についても面ファスナ同士の接触と剥離により行うことができるので、固定用バンドの所望の位置にヤットコ挟持部を容易に着脱させることができる。
したがって、第１の発明によれば、間接活線工具であるヤットコによる取り扱い性に優れ、かつ、電柱の任意の位置の周側面上に絶縁シートを巻回してその位置でしっかりと絶縁シートを固定しておくことができるヤットコ挟持具付絶縁シートを製造して提供することができる。
【００１２】
また、特に第２，第３の発明によれば、上述の第１の発明による効果と同じ効果に加えて、間接活線工具であるヤットコで挟持部材を挟持した際の滑りを好適に防止することができる。
これにより、ヤットコで挟持部材を挟持して絶縁シートや固定用バンドを操作する際の操作性並びに作業性を大幅に向上することができる。
【００１３】
さらに、第４の発明によれば、上述の第１乃至第３のそれぞれの発明による効果と同じ効果に加えて、固定用バンドの形状保持性を高めることができる。
この場合、固定用バンドを絶縁シートの固定部に取り付けた状態で電柱の胴部に固定用バンドを巻回する作業を行う際に、固定用バンドを垂れ下がり難くすることができる。この結果、電柱への第４の発明の着脱作業の作業効率を向上させることができる。
【図面の簡単な説明】
【００１４】
【図１】本発明の実施の形態に係るヤットコ挟持具付絶縁シートにおける絶縁シートと固定用バンド示す概念図である。
【図２】本発明の実施の形態に係るヤットコ挟持具付絶縁シートにおけるヤットコ挟持具の斜視図である。
【図３】本発明の実施の形態に係るヤットコ挟持具付絶縁シートにおけるヤットコ挟持具の取付け状態を示す概念図である。
【図４】本発明の実施の形態に係るヤットコ挟持具付絶縁シートにおけるヤットコ挟持具をホットスティックで挟持して保持する様子を示す断面概念図である。
【図５】本発明の実施の形態に係るヤットコ挟持具付絶縁シートを電柱に巻回する様子を示す断面概念図である。
【発明を実施するための形態】
【００１５】
本発明の実施の形態に係るヤットコ挟持具付絶縁シートについて図１乃至図５を参照しながら詳細に説明する。
【００１６】
はじめに、図１乃至図３を参照しながら本発明の実施の形態に係るヤットコ挟持具付絶縁シートについて説明する。
図１は本発明の実施の形態に係るヤットコ挟持具付絶縁シートにおける絶縁シートと固定用バンドを示す概念図である。また、図２は本発明の実施の形態に係るヤットコ挟持具付絶縁シートにおけるヤットコ挟持具の斜視図である。さらに、図３は本発明の実施の形態に係るヤットコ挟持具付絶縁シートにおけるヤットコ挟持具の取付け状態を示す断面概念図である（後段に示す図５中のＡ−Ａ線矢視断面図である）。
本実施の形態に係るヤットコ挟持具付絶縁シート１は、矩形状をなす絶縁シート２と、この絶縁シート２が図示しない電柱に巻回された際に電柱と接触する側の面で、かつ、この絶縁シート２の鉛直上下側に配される一対の辺（上辺２ａ，下辺２ｂ）に沿って設けられる帯状の固定部３，３と、この固定部３，３のそれぞれに着脱可能に取設される２本の固定用バンド４，４と、それぞれの固定用バンド４，４に着脱可能に取設される複数個のヤットコ挟持部５（図２を参照）とにより構成されるものである。
【００１７】
上述のような本実施の形態に係るヤットコ挟持具付絶縁シート１では、例えば、合成樹脂製で可撓性を有するシート状の絶縁材を複数枚積層してなる絶縁シート２を用いることができる。
また、絶縁シート２の上辺２ａ，下辺２ｂのそれぞれに沿って設けられる帯状の固定部３はともに面ファスナ３ａにより構成されている。なお、図１では、面ファスナ３ａがメスタイプである場合を例に挙げて説明しているが、面ファスナ３ａはオスタイプでもよい。
【００１８】
さらに、本実施の形態に係るヤットコ挟持具付絶縁シート１の固定用バンド４は、例えば、帯状の芯材４ａの表面と裏面のそれぞれに、面ファスナ４ｂ及び面ファスナ４ｃを備えてなるものである。なお、図１では、面ファスナ４ｂ，面ファスナ４ｃがそれぞれ、オスタイプ、メスタイプである場合を示している。
なお、固定用バンド４において、面ファスナ４ｂと面ファスナ４ｃのそれぞれの背面（接合面でない側の面）貼り合せる（又は縫合）するだけで十分な強度を発揮させることができる場合は、必ずしも芯材４ａを備える必要はない。
【００１９】
他方、固定用バンド４の長手方向における少なくとも一部又は全部における厚み部分に芯材４ａを設けておくことで、固定用バンド４の長手方向における少なくとも一部又は全部における形状保持性を高めるという効果を発揮させることができる。この場合、本実施の形態に係るヤットコ挟持具付絶縁シート１を使用する際の固定用バンド４の操作性を向上させることができる。
このように固定用バンド４の形状保持性の向上を目的として固定用バンド４の厚み部分に芯材４ａを設ける場合、その材質としては、可撓性を有する合成樹脂製の帯状体や針金等を用いることができる。また、芯材４ａは面ファスナ４ｂ及び面ファスナ４ｃと一体に固設されていてもよいし、面ファスナ４ｂ及び面ファスナ４ｃの間に分離可能に介設又は挿入されていてもよい。
【００２０】
このように、本実施の形態に係るヤットコ挟持具付絶縁シート１では、固定用バンド４が面ファスナ４ｂ及び面ファスナ４ｃを備えていることで、図１に示す絶縁シート２の固定部３（メスタイプ面ファスナ３ａ）に固定用バンド４の面ファスナ４ｂ（オスタイプ）を押し当てるだけで、絶縁シート２に固定用バンド４を着脱可能に固定することができる。
【００２１】
さらに、図２に示すように本実施の形態に係るヤットコ挟持具５は、平板体を折り曲げてなる断面Ｌ字形の挟持部材５ａと、この挟持部材５ａの折り曲げられた板体（挟持部材５ａ）の屈曲部６の内側６ａの面に取設される面ファスナ５ｂ（図２ではオスタイプ）とにより構成されている。
なお、図１に示す絶縁シート２に固定部３として取設される面ファスナ３ａがオスタイプである場合は、ヤットコ挟持具５の挟持部材５ａに取設される面ファスナ５ｂをメスタイプにしておく必要がある。
【００２２】
そして、図２に示すヤットコ挟持具５は、図１に示す絶縁シート２及び固定用バンド４に、図３に示すような状態で着脱可能に取り付けられる。
より具体的に説明すると、絶縁シート２の上辺２ａ又は下辺２ｂに設けられる固定部３の面ファスナ３ａ（図３ではメスタイプ）に、面ファスナ４ｂ及び面ファスナ４ｃを備えてなる固定用バンド４における面ファスナ４ｂ（図３ではオスタイプ）を押し付けて固定し、この後、固定用バンド４の面ファスナ４ｃ（図３ではメスタイプ）にヤットコ挟持具５の面ファスナ５ｂ（図３ではオスタイプ）を押し付けることで固定用バンド４にヤットコ挟持具５を固定することができる。
【００２３】
なお、ヤットコ挟持具５は、例えば図１中の塗りつぶした三角マーク部分に取付けておくとよい。そして、絶縁シート２の固定部３に取り付けられた固定用バンド４にさらにヤットコ挟持具５を取り付けると、図３に示すように、ヤットコ挟持具５を構成する挟持部材５ａの面ファスナ５ｂを備えていない部分が、絶縁シート２の上辺２ａ又は下辺２ｂを乗り越えて、固定部３が設けられない側の面に迫り出した状態になる。そして、このように絶縁シート２の上辺２ａ又は下辺２ｂから迫り出したこの挟持部材５ａを間接活線工具であるホットスティック（ヤットコ）で挟持することで、本実施の形態に係るヤットコ挟持具付絶縁シート１を支持しながら操作することができる。
なお、１本の固定用バンド４に対して少なくとも２個のヤットコ挟持具５設けておくことで、本実施の形態に係るヤットコ挟持具付絶縁シート１を間接活線工具（ホットスティック）で支持しながら操作することができる。また、図１に示すように１本の固定用バンド４に３個のヤットコ挟持具５を取り付ける場合は、電柱に対して本実施の形態に係るヤットコ挟持具付絶縁シート１の巻回作業を容易に行うことができる。なお、この点については後段において図５を参照しながら詳細に説明する。
【００２４】
また、ヤットコ挟持具５を構成する挟持部材５ａの材質としては、ホットスティックで挟持した場合や、挟持部材５ａに絶縁シート２や固定用バンド４の荷重がかかった場合でも、その外形形状を維持できる程度の強度を有する合成樹脂製の板材を用いるとよい。
他方、挟持部材５ａを、挟持部材５ａに絶縁シート２や固定用バンド４の荷重がかかった場合に、その外形形状を維持できる程度の剛性を有する弾性変形材により構成してもよい。このような弾性変形材としては、硬いゴムや硬いシリコン樹脂を用いることができる。
この場合、ホットスティックで挟持部材５ａを挟持した際に、ホットスティックと接触する部分の挟持部材５ａが一時的に変形することで、ホットスティックと挟持部材５ａとの接触部分に緩やかな嵌合構造を形成することができる。この結果、ホットスティックで挟持部材５ａを挟持する際の滑り（挟持し損ない）を好適に抑制することができ、ホットスティックによるヤットコ挟持具付絶縁シート１の操作性を向上させることができる。
なお、挟持部材５ａ自体を弾性変形材により構成する代わりに、弾性変形しない材質からなる挟持部材５ａにおけるホットスティックとの接触面に、別体からなる弾性変形材を貼設するなどにより設けておいてもよい。この場合、挟持部材５ａの上面と下面の両方がホットスティックとの接触面になるが、別体からなる弾性変形材を貼設するのは、挟持部材５ａの上面と下面のいずれか一方でもよいし両方でもよい。この場合、挟持部材５ａ自体を弾性変形材により構成する場合と同様の効果を発揮させることができる。
【００２５】
続いて、図１乃至図３に示すような本実施の形態に係るヤットコ挟持具付絶縁シート１を間接活線工具（ホットスティック）により保持した状態について図４を参照にしながら説明する。
図４は本発明の実施の形態に係るヤットコ挟持具付絶縁シートにおけるヤットコ挟持具をホットスティックで挟持して保持する様子を示す断面概念図である。なお、図１乃至図３に記載されたものと同一部分については同一符号を付し、その構成についての説明は省略する。
本実施の形態に係るヤットコ挟持具付絶縁シート１を間接活線工具（ホットスティック）で保持するには、先の図４に示すようにヤットコ挟持具付絶縁シート１を構成する各パーツを互いに固定して一体化した後、絶縁シート２の上辺２ａを超えて絶縁シート２から突出するヤットコ挟持具５の挟持部材５ａ（面ファスナ５ｂを備えない部分）をホットスティック７の挟持部７ａで挟持すればよい。
この時、ヤットコ挟持具５に固定用バンド４を介して着脱可能に取り付けられる絶縁シート２がヤットコ挟持具５の下に吊り下げられた状態になる。
【００２６】
このような本実施の形態に係るヤットコ挟持具付絶縁シート１によれば、固定用バンド４の所望の位置にヤットコ挟持具５を着脱可能に取設することができる。
本実施の形態に係るヤットコ挟持具付絶縁シート１を電柱に巻回する場合は、固定用バンド４上の最も作業し易い位置を選んで、そこにヤットコ挟持具５を取り付けてヤットコ挟持具付絶縁シート１の取付け作業を行うことにより、電柱への絶縁シート２の巻回及び固定作業を効率良く行うことができる。
【００２７】
最後に図５を参照しながら電柱への本実施の形態に係るヤットコ挟持具付絶縁シート１の取付け手順について説明する。
図５は本実施の形態に係るヤットコ挟持具付絶縁シートを電柱に巻回する様子を示す概念図である。なお、図１乃至図４に記載されたものと同一部分については同一符号を付し、その構成についての説明は省略する。
電柱８に本実施の形態に係るヤットコ挟持具付絶縁シート１を取り付けるには、ヤットコ挟持具付絶縁シート１を構成する各パーツを、先の図４に示すような状態になるようにそれぞれ固定した後、複数の間接活線工具（ホットスティック）によりヤットコ挟持具５を個別に挟持してヤットコ挟持具付絶縁シート１を電柱８の周りに保持し（図５ではホットスティックの記載は省略している）、この状態から絶縁シート２を電柱８の周側面に接触させながら巻き付けて行く。
より具体的には、絶縁シート２及び固定用バンド４により電柱８の周りを囲んで、固定用バンド４同士の重なり部を形成してから、この重なり部を互いに接触させて、その部分の面ファスナ同士を接合させることで、柱８の周側面上にヤットコ挟持具付絶縁シート１が仮固定される。
【００２８】
なお、この状態では、電柱８からヤットコ挟持具付絶縁シート１が外れない程度にしっかりと固定されているとは言えないため、ヤットコ挟持具５からホットスティック７を取り外すとヤットコ挟持具付絶縁シート１は落下してしまう。
このため、電柱８の周囲にヤットコ挟持具付絶縁シート１を仮止めした後に、図５中の符号Ｂで示す絶縁シート２の側縁２ｃを、固定用バンド４への着脱を繰り返しながら徐々に図５中の符号Ｃで示す絶縁シート２の他の側縁２ｃに近づけていき、最終的に、絶縁シート２の角部同士（図５中の符号Ｂ，Ｃで示す部分）を可能な限り接近させて、絶縁シート２を電柱８にしっかりと固定してやる必要がある。
なお、この絶縁シート２の角部同士を接近させる作業は、ヤットコ挟持具付絶縁シート１を構成する絶縁シート２の上辺２ａ側と、下辺２ｂ側の両方で行う必要がある。
【００２９】
この点をより詳細に説明すると、電柱８にヤットコ挟持具付絶縁シート１を仮固定した状態において、図５中の符号Ｂで示される角部近傍に取設されるヤットコ挟持具５では、その面ファスナ５ｂ上に固定用バンド４と絶縁シート２が積層された状態で取り付けられている（図３を参照）。このため、このヤットコ挟持具５の挟持部材５ａを間接活線工具（ホットスティック７、図４を参照）で挟持して電柱８の表面から離れる方向に引っ張ると、挟持部材５ａとともに面ファスナ５ｂ上に積層される固定用バンド４及び絶縁シート２がともに電柱８の表面から離れる方向に移動して、固定用バンド４同士の重なり部の接合状態が解除される（作業Ａ）。
そして、固定用バンド４同士の重なり部の接合状態が解除された挟持部材５ａと固定用バンド４及び絶縁シート２からなる積層体を、ホットスティック７で図５中の符号Ｃで示される方向に可能なだけ移動させた後、再び、固定用バンド４同士の重なり部を接合状態にして再度仮固定する（作業Ｂ）。
そして、絶縁シート２の上辺２ａ側と下辺２ｂ側とにおいて上述のような作業Ａと作業Ｂを交互に繰り返すことで、固定用バンド４による電柱８の締付け度合いを高めていき、最終的に、ヤットコ挟持具５からホットスティック７を離しても電柱８の周側面上からヤットコ挟持具付絶縁シート１が滑り落ちない状態にすればよい。
したがって、上述のような本実施の形態に係るヤットコ挟持具付絶縁シート１によれば、シンプルな構造でありながら、間接活線工具（ホットスティック７）を用いた単純な作業の繰り返しにより、電柱８の周側面上にしっかりと絶縁シート２を巻き付けて固定することができる。
【００３０】
また、特に図示しないが、絶縁シート２の上辺２ａ側と下辺２ｂ側の間に、既存の固定用バンド４，４とは別の固定用バンド４を備えていてもよい。この場合でも、電柱８へのヤットコ挟持具付絶縁シート１の固定は、主に絶縁シート２の上辺２ａ側と下辺２ｂ側に配される固定用バンド４によって行われ、追加される固定用バンド４による絶縁シート２の固定効果はあくまでも補助的なものになる。
なお、このような追加される固定用バンド４は、絶縁シート２の電柱８と接触する側の面に設けられてもよいし、その反対側の面に設けられてもよい。また、追加される固定用バンド４は、絶縁シート２に着脱可能に固定されていてもよいし、絶縁シート２に一体に固設されていてもよい。
【産業上の利用可能性】
【００３１】
以上説明したように本発明は、シンプルな構造でありながら、間接活線工具（ホットスティック）による単純な作業の繰り返しにより、電柱の周側面上に巻回して固定することができるヤットコ挟持具付絶縁シートであり、配電設備の保守点検に関する技術分野において利用可能である。
【符号の説明】
【００３２】
１…ヤットコ挟持具付絶縁シート  ２…絶縁シート  ２ａ…上辺  ２ｂ…下辺  ２ｃ…側縁  ３…固定部  ３ａ…面ファスナ（メスタイプ）  ４…固定用バンド  ４ａ…芯材  ４ｂ…面ファスナ（オスタイプ）  ４ｃ…面ファスナ（メスタイプ）  ５…ヤットコ挟持具  ５ａ…挟持部材  ５ｂ…面ファスナ（オスタイプ）  ６…屈曲部  ６ａ…内側  ７…ホットスティック  ７ａ…挟持部  ８…電柱
【図１】
2018133170.tif 000003
【図２】
2018133170.tif 000004
【図３】
2018133170.tif 000005
【図４】
2018133170.tif 000006
【図５】
2018133170.tif 000007